(57)【特許請求の範囲】
【請求項１】
上木質片と下木質片と左木質片および右木質片によって前面視縦長な四角形の前後方向に貫通する中央空間を囲む額縁状の四方枠を構成し、上木質片と左木質片とが左上連結金具で四方枠の左上隅部を構成するように連結され、上木質片と右木質片とが右上連結金具で四方枠の右上隅部を構成するように連結され、下木質片と左木質片とが左下連結金具で四方枠の左下隅部を構成するように連結され、下木質片と右木質片とが右下連結金具で四方枠の右下隅部を構成するように連結され、鉄板または鋼板からなる左骨格片が左木質片の中央空間側に付設されかつ左上連結金具および左下連結金具に連結され、鉄板または鋼板からなる右骨格片が右木質片の中央空間側に付設されかつ右上連結金具および右下連結金具に連結され、左骨格片が縦長な帯状本体と帯状本体の前部から左木質片側に突出する収容前壁と収容前壁の前方に突出する左前剛構造部と帯状本体の後方に突出する左後剛構造部とを備え、左後剛構造部がリブ前壁とリブ左壁と収容後壁とを備え、左木質片が左骨格片の帯状本体と収容前壁と収容後壁とからなる左収容部に収容されかつ左木質片と左骨格片とが互いに結合され、右骨格片が縦長な帯状本体と帯状本体の前部から右木質片側に突出する収容前壁と収容前壁の前方に突出する右前剛構造部と帯状本体の後方に突出する右後剛構造部とを備え、右後剛構造部がリブ前壁とリブ右壁と収容後壁とを備え、右木質片が右骨格片の帯状本体と収容前壁と収容後壁とからなる右収容部に収容されかつ右木質片と右骨格片とが互いに結合されたことを特徴とする遊技機の外枠。
【請求項２】
上木質片と下木質片と左木質片および右木質片によって前面視縦長な四角形の前後方向に貫通する中央空間を囲む額縁状の四方枠を構成し、上木質片と左木質片とが左上連結金具で四方枠の左上隅部を構成するように連結され、上木質片と右木質片とが右上連結金具で四方枠の右上隅部を構成するように連結され、下木質片と左木質片とが左下連結金具で四方枠の左下隅部を構成するように連結され、下木質片と右木質片とが右下連結金具で四方枠の右下隅部を構成するように連結され、左木質片の中央空間側には縦長なリブ用凹部とリブ用凹部より前後に離れた縦長なフランジ用凹部とが設けられ、鉄板または鋼板からなる左骨格片は縦長な帯状本体と帯状本体の前縁部と後縁部との間から帯状本体の中央空間側に開口した窪みを形成するように左木質片側に押し出された縦長なリブと帯状本体の前縁部及び後縁部から左木質片側に突出する縦長なフランジとを備え、左骨格片のフランジが左木質片の中央空間側からフランジ用凹部に収容されるとともに左骨格片のリブが左木質片のリブ用凹部に収容されかつ左木質片と左骨格片とが互いに結合され、右木質片の中央空間側には縦長なリブ用凹部とリブ用凹部より前後に離れた縦長なフランジ用凹部とが設けられ、鉄板または鋼板からなる右骨格片は縦長な帯状本体と帯状本体の前縁部と後縁部との間から帯状本体の中央空間側に開口した窪みを形成するように右木質片側に押し出された縦長なリブと帯状本体の前縁部及び後縁部から右木質片側に突出する縦長なフランジとを備え、右骨格片のフランジが右木質片の中央空間側からフランジ用凹部に収容されるとともに右骨格片のリブが右木質片のリブ用凹部に収容されかつ右木質片と右骨格片とが互いに結合されたことを特徴とする遊技機の外枠。
【発明の詳細な説明】
【技術分野】
【０００１】
本発明は、支持強度確保と左右方向の内法拡大および材料再利用容易などが確保できる遊技機の外枠に関する。
【背景技術】
【０００２】
パチンコ遊技機などの遊技機に用いられる外枠には、木材と合成樹脂との混合材料から構成したり（特許文献１参照）、合成樹脂材料からなる四方枠における左右片の内側に金属板からなる補強片を付設したり（特許文献２参照）、合成木材から構成したり（特許文献３参照）、木材製の上下片と金属製の左右片とから構成したり（特許文献４参照）することが知られている。しかしながら、２０ｋｇ程度の重量を有する前枠に対する支持強度確保と左右方向の内法拡大および材料再利用容易などを確保することが難しいという欠点があった。
【特許文献１】特開２００２−１１９７１７号公報
【特許文献２】特開２００３−２７５４３２号公報
【特許文献３】特開２００４−９７３９６号公報
【特許文献４】特開２００５−８７５７８号公報
【発明の開示】
【発明が解決しようとする課題】
【０００３】
発明が解決しようとする問題点は支持強度確保と左右方向の内法拡大および材料再利用容易などを確保することが難しいという点である。
【課題を解決するための手段】
【０００４】
本発明に係る遊技機の外枠は、上木質片と下木質片と左木質片および右木質片によって前面視縦長な四角形の前後方向に貫通する中央空間を囲む額縁状の四方枠を構成し、上木質片と左木質片とが左上連結金具で四方枠の左上隅部を構成するように連結され、上木質片と右木質片とが右上連結金具で四方枠の右上隅部を構成するように連結され、下木質片と左木質片とが左下連結金具で四方枠の左下隅部を構成するように連結され、下木質片と右木質片とが右下連結金具で四方枠の右下隅部を構成するように連結され、鉄板または鋼板からなる左骨格片が左木質片の中央空間側に付設されかつ左上連結金具および左下連結金具に連結され、鉄板または鋼板からなる右骨格片が右木質片の中央空間側に付設されかつ右上連結金具および右下連結金具に連結され、左骨格片が縦長な帯状本体と帯状本体の前部から左木質片側に突出する収容前壁と収容前壁の前方に突出する左前剛構造部と帯状本体の後方に突出する左後剛構造部とを備え、左後剛構造部がリブ前壁とリブ左壁と収容後壁とを備え、左木質片が左骨格片の帯状本体と収容前壁と収容後壁とからなる左収容部に収容されかつ左木質片と左骨格片とが互いに結合され、右骨格片が縦長な帯状本体と帯状本体の前部から右木質片側に突出する収容前壁と収容前壁の前方に突出する右前剛構造部と帯状本体の後方に突出する右後剛構造部とを備え、右後剛構造部がリブ前壁とリブ右壁と収容後壁とを備え、右木質片が右骨格片の帯状本体と収容前壁と収容後壁とからなる右収容部に収容されかつ右木質片と右骨格片とが互いに結合されたことを最も主要な特徴とするか、または、上木質片と下木質片と左木質片および右木質片によって前面視縦長な四角形の前後方向に貫通する中央空間を囲む額縁状の四方枠を構成し、上木質片と左木質片とが左上連結金具で四方枠の左上隅部を構成するように連結され、上木質片と右木質片とが右上連結金具で四方枠の右上隅部を構成するように連結され、下木質片と左木質片とが左下連結金具で四方枠の左下隅部を構成するように連結され、下木質片と右木質片とが右下連結金具で四方枠の右下隅部を構成するように連結され、左木質片の中央空間側には縦長なリブ用凹部とリブ用凹部より前後に離れた縦長なフランジ用凹部とが設けられ、鉄板または鋼板からなる左骨格片は縦長な帯状本体と帯状本体の前縁部と後縁部との間から帯状本体の中央空間側に開口した窪みを形成するように左木質片側に押し出された縦長なリブと帯状本体の前縁部及び後縁部から左木質片側に突出する縦長なフランジとを備え、左骨格片のフランジが左木質片の中央空間側からフランジ用凹部に収容されるとともに左骨格片のリブが左木質片のリブ用凹部に収容されかつ左木質片と左骨格片とが互いに結合され、右木質片の中央空間側には縦長なリブ用凹部とリブ用凹部より前後に離れた縦長なフランジ用凹部とが設けられ、鉄板または鋼板からなる右骨格片は縦長な帯状本体と帯状本体の前縁部と後縁部との間から帯状本体の中央空間側に開口した窪みを形成するように右木質片側に押し出された縦長なリブと帯状本体の前縁部及び後縁部から右木質片側に突出する縦長なフランジとを備え、右骨格片のフランジが右木質片の中央空間側からフランジ用凹部に収容されるとともに右骨格片のリブが右木質片のリブ用凹部に収容されかつ右木質片と右骨格片とが互いに結合されたことを最も主要な特徴とする。
【発明の効果】
【０００５】
本発明に係る遊技機の外枠は、左骨格片が左木質片に付設され、右骨格片が右木質片に付設されたことによって、左木質片や右木質片の左右方向の厚さを従来の１９ｍｍ（特許文献３参照）から９ｍｍ程度に薄く形成しても、前枠に対する支持強度が確保され、外枠の左右方向の外法を５２１ｍｍ（特許文献３参照）に設定して、外枠の左右方向の内法が拡大され、外枠としての使用終了後には、木質材と鉄材または鋼材とに分別して、材料の再利用が容易になるという利点がある。
【発明を実施するための最良の形態】
【０００６】
図１は、パチンコ遊技機などの遊技機に用いられる外枠１を分解して斜め後方から示す。図２のａ図は、左木質片４と左骨格片７と有頭ねじ５６とを分解して示す。図２のｂ図は、左木質片４と左骨格片７とを有頭ねじ５６で結合して示す。図３のａ図は、右木質片５と右骨格片８と有頭ねじ７０とを分解して示す。図３のｂ図は、右木質片５と右骨格片８とを有頭ねじ７０で結合して示す。図４は、上木質片２を除去した外枠１を上から示す。図５は、外枠１を斜め後方から示す。図６は、外枠１の左上連結金具９の周りを斜め後方から示す。図７は、左骨格片７の後部および右骨格片８の後部を除去した外枠１を後から示す。本明細書における「前」、「後」、「左」、「右」、「上」、「下」の方向は、図５の状態に外枠１を置いて矢印Ｓで示す前側から見た場合に特定される方向である。
【０００７】
図１を参照し、外枠１について説明する。外枠１は、図外の遊技店の遊技機設置構造体に取り付けられるものであって、上木質片２、下木質片３、左木質片４、右木質片５を備える。上木質片２、下木質片３、左木質片４、右木質片５が互いに組み合わせられて、前面視縦長な四角形の前後方向に貫通する中央空間６を囲む額縁状の四方枠を構成する。
【０００８】
上木質片２、下木質片３、左木質片４、右木質片５などの４本の木質片は、自然木材または加工木材によって帯板状に形成された構成である。自然木材としては、例えば、ラバーウッド、ラワンなどがある。加工木材としては、例えば、合板、集成材、木質系ボードなどがある。木質系ボードには、木質繊維を紙のように抄いて常温乾燥したインシュレーションボード（ファイバーボードとも呼ばれる）、木質繊維を紙のように抄いてフェノール樹脂などの樹脂材を加えて圧熱成形したハードボード（ファイバーボードとも呼ばれる）、木質繊維に接着剤を加えて圧熱成形したＭＤＦ（ファイバーボードとも呼ばれる）、木材の砕かれた小片に接着剤を加えて高温高圧成形したパーティクルボード、木材の挽材からなる心材に木材からなる表裏材を張ったランバーコア（挽材心合板またはコーアボードとも呼ばれる）、薄く細長い木片に方向性与えて直交させ接着剤で圧縮成形したＯＢＳ（配向性ボートとも呼ばれる）、木材からなる細長い単板の方向性を揃えて成形したＰＬＳ（パララムとも呼ばれる）、ＯＢＳと同じ材質を用いたＷＢ（ウエハーボードとも呼ばれる）などがある。最良の形態では、上木質片２、下木質片３、左木質片４、右木質片５としては、ラバーウッドからなる集成材を使用した。また、上木質片２および下木質片３としてはラバーウッドからなる集成材を使用し、左木質片４、右木質片５としてはパーティクルボードを使用してもよい。
【０００９】
左木質片４の内側には、鉄板または鋼板からなる左骨格片７が付設される。右木質片５の内側には、鉄板または鋼板からなる右骨格片８が付設される。上木質片２と左木質片４とが鉄板または鋼板からなる左上連結金具９によって四方枠の左上部を構成するように互いに連結される。上木質片２と右木質片５とが鉄板または鋼板からなる右上連結金具１０によって四方枠の右上部を構成するように互いに連結される。下木質片３と左木質片４とが鉄板または鋼板からなる左下連結金具１１によって四方枠の左下部を構成するように互いに連結される。下木質片３と右木質片５とが鉄板または鋼板からなる右下連結金具１２によって四方枠の右下部を構成するように互いに連結される。
【００１０】
上木質片２の左部と左木質片４の上部とからなる隅部の外側には、鉄板または鋼板からなる外枠上ヒンジ１３が付設される。前片１５の上面および左骨格片７の内面には、鉄板または鋼板からなる外枠下ヒンジ１４が付設される。前片１５は、材料再利用容易の観点から木質で構成されるのが好ましいが、合成樹脂または鉄板または鋼板などから構成されてもよい。右骨格片８には、鉄板または鋼板からなるロック受金具１６が上下に分かれて付設される。ロック受金具１６は、図外の前枠に設けられたロック機構（特開２００６−１１８１５１号公報参照）のロックレバーを係合することによって、前枠を左側に位置するヒンジを中心として開閉しないように外枠１に支持する部材である。
【００１１】
上木質片２について詳述する。上木質片２の左部には、ヒンジ収容部２１と貫通孔２２および片収容部２３が設けられる。ヒンジ収容部２１は、上木質片２の上面から下方内部に窪みかつ前後方向および右方向に開放された平坦な窪みとして設けられる。貫通孔２２は、ヒンジ収容部２１の上下方向への貫通孔として前後に分かれて設けられる。片収容部２３は、上木質片２の左面から右方内部に窪みかつ上下方向および後方に開放された平坦な窪みとして設けられる。上木質片２の右部には、貫通孔２４および片収容部２５が設けられる。貫通孔２４は、上木質片２の上下方向への貫通孔として前後に分かれて設けられる。片収容部２５は、上木質片２の右面から左方内部に窪みかつ上下方向および後方に開放された平坦な窪みとして設けられる。上木質片２には、逃げ部２６および釘孔２７が設けられる。逃げ部２６は、外枠１が遊技機設置構造体に取り付けられる場合、遊技機設置構造体の付帯設備を逃げる部分である。付帯設備としては、例えば、補給機構から外枠１の側に供給する球をカウントする計数機構である。釘孔２７は、外枠１が遊技機設置構造体に取り付けられる場合に、中央空間６から遊技機設置構造体の上框に打ち込まれる釘を通す孔である。
【００１２】
下木質片３について詳述する。下木質片３の左部には、貫通孔２８および片収容部２９が設けられる。貫通孔２８は、下木質片３の上下方向への貫通孔として前後に分かれて設けられる。片収容部２９は、下木質片３の左面から右方内部に窪みかつ上下方向および後方に開放された平坦な窪みとして設けられる。下木質片３の右部には、貫通孔３０および片収容部３１が設けられる。貫通孔３０は、下木質片３の上下方向への貫通孔として前後に分かれて設けられる。片収容部３１は、下木質片３の右面から左方内部に窪みかつ上下方向および後方に開放された平坦な窪みとして設けられる。下木質片３には、釘孔３２が設けられる。釘孔３２は、外枠１が遊技機設置構造体に取り付けられる場合に、中央空間６から遊技機設置構造体の下框に打ち込まれる釘を通す孔である。
【００１３】
左木質片４について詳述する。左木質片４の上部には、ヒンジ収容部３３および貫通孔３４が設けられる。ヒンジ収容部３３は、左木質片４の左面から右方内部に窪みかつ前後方向および左方向に開放された平坦な窪みとして設けられる。貫通孔３４は、ヒンジ収容部３３の左右方向に貫通しかつ前後に分かれて設けられる。左木質片４の下部には、貫通孔３５が左右方向に貫通しかつ前後に分かれて設けられる。左木質片４の中間部には、貫通孔３６が左右方向に貫通しかつ左木質片４の左面から形成された皿孔として上下に分かれて設けられる。
【００１４】
右木質片５について詳述する。右木質片５の上部には、貫通孔３７が左右方向に貫通しかつ前後に分かれて設けられる。右木質片５の下部には、貫通孔３８が左右方向に貫通しかつ前後に分かれて設けられる。右木質片５の中間部には、貫通孔３９が左右方向に貫通しかつ右木質片５の右面から形成された皿孔として上下に分かれて設けられる。
【００１５】
上木質片２の上下方向の厚さつまり上木質片２の板厚ｔ１と、下木質片３の上下方向の厚さつまり下木質片３の板厚ｔ３とは、同じ厚さで、例えば、１９ｍｍである。左木質片４の左右方向の厚さつまり左木質片４の板厚ｔ４と、右木質片５の左右方向の厚さつまり右木質片５の板厚ｔ５とは、同じ厚さで、例えば、６ｍｍである。左木質片４の前後方向の幅つまり左木質片４の前後幅Ｔ４と、右木質片５の前後方向の幅つまり右木質片５の前後幅Ｔ５とは、同じ幅で、例えば、５２ｍｍであって、上木質片２の前後方向の幅つまり上木質片２の前後幅Ｔ２としての例えば７０ｍｍよりも小さく、片収容部２３の前後方向の幅つまり片収容部２３の前後幅や片収容部２５の前後方向の幅つまり片収容部２５の前後幅および片収容部２９の前後方向の幅つまり片収容部２９の前後幅ならびに片収容部３１の前後方向の幅つまり片収容部２９の前後幅よりも左骨格片７および右骨格片８を構成する鉄板または鋼板の板厚分だけ小さい。
【００１６】
上木質片２、下木質片３、左木質片４、右木質片５が組み立てられる場合、左木質片４の上部が片収容部２３に収容され、左木質片４の前面が片収容部２３の前面に接触され、鉄製の木ねじ４０が左方から左木質片４を経由して上木質片２に締結され、左木質片４の下部が片収容部２９に収容され、左木質片４の前面が片収容部２９の前面に接触され、鉄製の木ねじ４１が左方から左木質片４を経由して下木質片３に締結され、上木質片２と下木質片３と左木質片４とが互いに固定される。右木質片５の上部が片収容部２５に収容され、右木質片５の前面が片収容部２５の前面に接触され、鉄製の木ねじ４２が右方から右木質片５を経由して上木質片２に締結され、右木質片５の下部が片収容部３１に収容され、右木質片５の前面が片収容部３１の前面に接触され、鉄製の木ねじ４３が左方から右木質片５を経由して下木質片３に締結され、上木質片２と下木質片３と右木質片５とが互いに固定される。これによって、上木質片２、下木質片３、左木質片４、右木質片５が外枠１の中央空間６を囲む額縁状の四方枠を構成する。
【００１７】
図２のａ図を参照し、左骨格片７について説明する。左骨格片７を構成する鉄板または鋼板は、例えば、１．６ｍｍの板厚を有する。左骨格片７は、縦長な帯状本体４４を備える。帯状本体４４は、上木質片２（図５参照）と下木質片３（図５参照）との間に入る上下方向の縦幅を有する。帯状本体４４の前部には、収容前壁４５が帯状本体４４から左方に直角に突出する。収容前壁４５の前部には前突壁４６と合わせ壁４７とからなる左前剛構造部が設けられる。つまり、収容前壁４５の左部には、前突壁４６が収容前壁４５から前方に直角に突出する。前突壁４６の前部には、合わせ壁４７が収容前壁４５から後方に１８０°折り返されて前突壁４６の右面に重ね合わせられる。左前剛構造部は、合わせ壁４７を前突壁４６から後方に弧状に湾曲させた平面視丸筒状に形成しても、または、合わせ壁４７を前突壁４６から後方に角状に曲折させた平面視角筒状に形成してもよい。
【００１８】
帯状本体４４の後部には、リブ前壁４８とリブ左壁４９と収容後壁５０とからなる左後剛構造部が設けられる。つまり、帯状本体４４の後部には、リブ前壁４８が帯状本体４４から右方に直角に突出する。リブ前壁４８の右部には、リブ左壁４９がリブ前壁４８から後方に直角に突出する。リブ左壁４９の後部には、収容後壁５０がリブ左壁４９から左方に直角に突出する。左後剛構造部は、リブ左壁４９をリブ前壁４８と収容後壁５０とをつなぐ弧状に湾曲させた平面視半円形筒状に形成してもよい。
【００１９】
帯状本体４４と収容前壁４５と収容後壁５０とが、上下方向および左方向に開放された左収容部５１を形成する。帯状本体４４の上部には、貫通孔５２が左右方向に貫通しかつ前後に分かれて設けられる。帯状本体４４の下部には、貫通孔５３が左右方向に貫通しかつ前後に分かれて設けられる。帯状本体４４の中間部には、ねじ孔５４が左右方向に貫通しかつ上下に分かれて設けられる。収容前壁４５の上部、前突壁４６の上部、合わせ壁４７の上部、収容後壁５０の上部には、ヒンジ収容部５５が設けられる。
【００２０】
図２および図４を参照し、左木質片４と左骨格片７との結合について説明する。図２のａ図において、左木質片４が左骨格片７の左方から左収容部５１に収容され、鉄製の皿頭を有する有頭ねじ５６が左木質片４の左方から貫通孔３６を経由してねじ孔５４に締結され、有頭ねじ５６の皿頭が貫通孔３６の皿孔に収容されて左木質片４の左面よりも左方に突出せず、左木質片４と左骨格片７とが互いに結合される。左木質片４と左骨格片７とが互いに結合された場合、図４に示すように、左木質片４の右面と左収容部５１の左面とが互いに接触し、左木質片４の前面と収容前壁４５の後面とが互いに接触し、左木質片４の後面と収容後壁５０の前面とが互い互いに接触し、左木質片４とリブ前壁４８とリブ左壁４９と収容後壁５０とで囲まれる縦空間５７が形成される。この結果、図２のｂ図において、例えば、左骨格片７の上部が矢印Ｗ１で示す右方向に回転し、左骨格片７の下部が矢印Ｗ２で示す左方向に回転するというように、左骨格片７の上部と下部とが互いに平面内で逆向きに回転するように、縦長な左骨格片７に捩れが加わった場合、左木質片４が左収容部５１の内部で突っ張ることから、縦長な左骨格片７の捩れが防止されるという利点がある。
【００２１】
左木質片４と左骨格片７とが有頭ねじ５６で互いに結合されることに代わり、左木質片４と左骨格片７とが接着剤で互いに結合されたり、または、左骨格片７の左収容部５１を構成する帯状本体４４と収容前壁４５と収容後壁５０とのいずれかに突片を設け、左木質片４が左収容部５１に収容された後に上記突片を左収容部５１の側に曲折して左木質片４と左骨格片７とが互いに結合されたりしてもよい。
【００２２】
図３のａ図を参照し、右骨格片８について説明する。右骨格片８を構成する鉄板または鋼板は、例えば、１．６ｍｍの板厚を有する。右骨格片８は、縦長な帯状本体５９を備える。帯状本体５９は、上木質片２（図５参照）と下木質片３（図５参照）との間に入る上下方向の縦幅を有する。帯状本体５９の前部には、収容前壁６０が帯状本体５９から右方に直角に突出する。収容前壁６０の前部には前突壁６１と合わせ壁６２とからなる右前剛構造部が設けられる。つまり、収容前壁６０の右部には、前突壁６１が収容前壁６０から前方に直角に突出する。前突壁６１の前部には、合わせ壁６２が前突壁６１から後方に１８０°折り返されて前突壁６１の左面に重ね合わせられる。右前剛構造部は、合わせ壁６２を前突壁６１から後方に弧状に湾曲させた平面視丸筒状に形成しても、または、合わせ壁４７を前突壁６１から後方に角状に曲折させた平面視角筒状に形成してもよい。
【００２３】
帯状本体５９の後部には、リブ前壁６３とリブ右壁６４と収容後壁６５とからなる右後剛構造部が設けられる。つまり、帯状本体５９の後部には、リブ前壁６３が帯状本体５９から左方に直角に突出する。リブ前壁６３の左部には、リブ右壁６４がリブ前壁６３から後方に直角に突出する。リブ右壁６４の後部には、収容後壁６５がリブ右壁６４から右方に直角に突出する。左後剛構造部は、リブ右壁６４をリブ前壁６３と収容後壁６５とをつなぐ弧状に湾曲させた平面視半円形筒状に形成してもよい。
【００２４】
帯状本体５９と収容前壁６０と収容後壁６５とが、上下方向および左方向に開放された右収容部６６を形成する。帯状本体５９の上部には、貫通孔６７が左右方向に貫通しかつ前後に分かれて設けられる。帯状本体５９の下部には、貫通孔６８が左右方向に貫通しかつ前後に分かれて設けられる。帯状本体５９の中間部には、ねじ孔６９が左右方向に貫通しかつ上下に分かれて設けられる。
【００２５】
図３および図４を参照し、右木質片５と右骨格片８との結合について説明する。図３のａ図において、右木質片５が右骨格片８の右方から右収容部６６に収容され、鉄製の皿頭を有する有頭ねじ７０が右木質片５の右方から貫通孔３９を経由してねじ孔６９に締結され、有頭ねじ７０の皿頭が貫通孔３９の皿孔に収容されて右木質片５の右面よりも右方に突出せず、右木質片５と右骨格片８とが互いに結合される。右木質片５と右骨格片８とが互いに結合された場合、図４に示すように、右木質片５の右面と右収容部６６の左面とが互いに接触し、右木質片５の前面と収容前壁６０の後面とが互いに接触し、右木質片５の後面と収容後壁６５の前面とが互い互いに接触し、右木質片５とリブ前壁６３とリブ右壁６４と収容後壁６５とで囲まれる縦空間７１が形成される。この結果、図４のｂ図において、例えば、右骨格片８の上部が矢印Ｗ３で示す右方向に回転し、右骨格片８の下部が矢印Ｗ４で示す左方向に回転するというように、右骨格片８の上部と下部とが互いに平面内で逆向きに回転するように、縦長な右骨格片８に捩れが加わった場合、右木質片５が収容後壁６５の内部で突っ張ることから、縦長な右骨格片８の捩れが防止されるという利点がある。
【００２６】
右木質片５と右骨格片８とが有頭ねじ７０で互いに結合されることに代わり、右木質片５と右骨格片８とが接着剤で互いに結合されたり、または、右骨格片８の右収容部５１を構成する帯状本体５９と収容前壁６０と収容後壁６５とのいずれかに突片を設け、右木質片５が右収容部５１に収容された後に上記突片を右収容部５１の側に曲折して右木質片５と右骨格片８とを互いに結合されたりしてもよい。
【００２７】
図１に戻り、左上連結金具９と外枠上ヒンジ１３とが外枠１に組み付けられる場合、左上連結金具９が上木質片２の左部と左木質片４の上部と左骨格片７の上部とからなる隅部の内側にあてがわれ、外枠上ヒンジ１３が上木質片２の左部と左木質片４の上部とからなる隅部の外側のヒンジ収容部２１およびヒンジ収容部３３ならびにヒンジ収容部５５にあてがわれる。そして、鉄製の有頭ねじ７５が外側から外枠上ヒンジ１３の貫通孔７６と上木質片２の貫通孔２２とを経由して左上連結金具９のねじ孔７７に締結される。また、鉄製の有頭ねじ７８が外側から外枠上ヒンジ１３の貫通孔７９と左木質片４の貫通孔３４と左骨格片７の貫通孔５２とを経由して左上連結金具９のねじ孔８０に締結される。これによって、左上連結金具９と外枠上ヒンジ１３とが外枠１の左上隅に組み立てられる。左上連結金具９は、外枠１にあてがわれるよりも以前において、左骨格片７の上部に溶接またはリベットで結合されていてもよい。その場合、左骨格片７の貫通孔５２と左上連結金具９のねじ孔８０とが同軸となるように位置を合わせられることは必要である。
【００２８】
上連結金具１０が外枠１に組み付けられる場合、右上連結金具１０が上木質片２の右部と右木質片５の上部と右骨格片８の上部とからなる隅部の内側にあてがわれる。そして、鉄製の有頭ねじ８１が外側から上木質片２の貫通孔２４を経由して右上連結金具１０のねじ孔８２に締結される。また、鉄製の有頭ねじ８３が外側から右木質片５の貫通孔３７と右骨格片８の貫通孔６７とを経由して右上連結金具１０のねじ孔８４に締結される。これによって、右上連結金具１０が外枠１の右上隅に組み付けられる。ねじ孔８４は、前後に分かれて設けられるが、図１では後部の１個だけが図示されている。右上連結金具１０は、外枠１にあてがわれるよりも以前において、右骨格片８の上部に溶接またはリベットで結合されていてもよい。その場合、右骨格片８の貫通孔６７と右上連結金具１０のねじ孔８４とが同軸となるように位置を合わせられることは必要である。
【００２９】
左下連結金具１１が外枠１に組み付けられる場合、左下連結金具１１が下木質片３の左部と左木質片４の下部と左骨格片７の下部とからなる隅部の内側にあてがわれる。そして、鉄製の有頭ねじ８５が外側から左木質片４の貫通孔３５と左骨格片７の貫通孔５３とを経由して左下連結金具１１のねじ孔８６に締結される。また、鉄製の有頭ねじ８７が外側から下木質片３の貫通孔２８を経由して左下連結金具１１のねじ孔８８に締結される。これによって、左下連結金具１１が外枠１の左下隅に組み付けられる。左下連結金具１１は、外枠１にあてがわれるよりも以前において、左骨格片７の下部に溶接またはリベットで結合されていてもよい。その場合、左骨格片７の貫通孔５３と左下連結金具１１のねじ孔８６とが同軸となるように位置を合わせられることは必要である。
【００３０】
右下連結金具１２が外枠１に組み付けられる場合、右下連結金具１２が下木質片３の右部と右木質片５の下部と右骨格片８の下部とからなる隅部の内側にあてがわれる。そして、鉄製の有頭ねじ８９が外側から右木質片５の貫通孔３８と右骨格片８の貫通孔６８とを経由して右下連結金具１２のねじ孔９０に締結される。また、鉄製の有頭ねじ９１が外側から下木質片３の貫通孔３０を経由して右下連結金具１２のねじ孔９２に締結される。これによって、右下連結金具１２が外枠１の右下隅に組み付けられる。右下連結金具１２は、外枠１にあてがわれるよりも以前において、右骨格片８の下部に溶接またはリベットで結合されていてもよい。その場合、右骨格片８の貫通孔６８と右下連結金具１２のねじ孔９０とが同軸となるように位置を合わせられることは必要である。
【００３１】
前片１５が外枠１に組み付けられる場合、前片１５の下面が前方から下木質片３の上面に接触して搭載され、前片１５の左部の凹部９３が左骨格片７における前突壁４６の下部および合わせ壁４７の下部にあてがわれ、前片１５の右部の凹部９４が右骨格片８における前突壁６１の下部および合わせ壁６２の下部にあてがわれる。そして、鉄製の木ねじなどの有頭ねじ９５が後方から左下連結金具１１の貫通孔９６を経由して前片１５に締結され、鉄製の木ねじなどの有頭ねじ９７が後方から右下連結金具１２の貫通孔９８を経由して前片１５に締結される。また、図外の木ねじが外側から下木質片３を経由して前片１５に締結される。これによって、前片１５が外枠１に組み付けられる。
【００３２】
外枠下ヒンジ１４が外枠１に組み付けられる場合、外枠下ヒンジ１４が前片１５の左部の上面に接触して搭載されかつ左骨格片７の右面にあてがわれる。そして、鉄製の木ねじなどの有頭ねじ９９が後方から外枠下ヒンジ１４の貫通孔１００を経由して前片１５に締結され、鉄製の有頭ねじ１０１が外側から左木質片４の貫通孔１０２と左骨格片７の貫通孔１０３とを経由して外枠下ヒンジ１４のねじ孔１０４に締結される。これによって、外枠下ヒンジ１４が外枠１に組み付けられる。左木質片４と左骨格片７とが互いに結合されるよりも以前において、有頭ねじ１０１が左骨格片７に溶接で結合されていてもよい。この場合、外枠下ヒンジ１４にはねじ孔１０４に代えて貫通孔が設けられ、当該貫通孔を経由して外枠下ヒンジ１４よりも右方に突出した有頭ねじ１０１の雄ねじ部にナットを締結する必要はあるが、貫通孔１０２は左木質片４に設ける必要はない。
【００３３】
ロック受金具１６が外枠１に組み付けられる場合、次の（１）乃至（５）の構造がある。（１）右木質片５と右骨格片８とが互いに結合されるよりも以前において、ロック受金具１６が右骨格片８に溶接またはリベットで結合される。（２）図外のねじが右骨格片８に溶接で結合され、図外の貫通孔がロック受金具１６に設けられ、ねじが貫通孔に挿入され、図外のナットがロック受金具１６よりも左方に突出したねじの雄ねじ部に締結され、ロック受金具１６が右骨格片８に取り付けられる。（３）図外の貫通孔が右木質片５と右骨格片８とロック受金具１６とに設けられ、図外のねじが右木質片５の右方から３つの貫通孔に挿入され、図外のナットがロック受金具１６よりも左方に突出したねじの雄ねじ部に締結され、ロック受金具１６が右骨格片８に取り付けられる。（４）図外の貫通孔が右木質片５と右骨格片８とに設けられ、図外のねじ孔がロック受金具１６に設けられ、図外のねじが右木質片５の右方から双方の貫通孔を経由してねじ孔に締結され、ロック受金具１６が右骨格片８に取り付けられる。（５）図外のねじ孔が右骨格片８に設けられ、図外の貫通孔がロック受金具１６に設けられ、図外のねじが中央空間６から貫通孔を経由してねじ孔に締結され、ロック受金具１６が右骨格片８に取り付けられる。
【００３４】
以上のように、上木質片２、下木質片３、左木質片４、右木質片５、中央空間６、左骨格片７、右骨格片８、右上連結金具１０、右上連結金具１０、左下連結金具１１、右下連結金具１２、外枠上ヒンジ１３、外枠下ヒンジ１４、前片１５、ロック受金具１６などの各構成部材が互いに組み合わせられることによって、外枠１が図５に示す形状に構成される。図１において、例えば、矢印Ｙ１で示す斜め上方からの外力が外枠１の右上隅部に加えられた場合、左骨格片７における前突壁４６と合わせ壁４７とからなる左前剛構造部、左骨格片７におけるリブ前壁４８（図４参照）とリブ左壁４９（図４参照）と収容後壁５０とからなる左後剛構造部、左木質片４が左骨格片７の左収容部５１に入れ込まれかつ左木質片４と左骨格片７とが互いに結合された構造、右骨格片８における前突壁６１（図４参照）と合わせ壁６２とからなる右前剛構造部、右骨格片８におけるリブ前壁６３（図４参照）とリブ右壁６４と収容後壁６５とからなる右後剛構造部、右木質片５が右骨格片８の左収容部６６に入れ込まれかつ右木質片５と右骨格片８とが互いに結合された構造、左上連結金具９が外枠１の左上隅部で上木質片２と左骨格片７や左木質片４に結合された構造、右上連結金具１０が外枠１の右上隅部で上木質片２と右骨格片８や右木質片５に結合された構造、左下連結金具１１が外枠１の左下隅部で下木質片３と左骨格片７や左木質片４に結合された構造、右下連結金具１２が外枠１の右下隅部で下木質片３と右骨格片８や右木質片５に結合された構造の相互作用によって、外枠１が左右に傾くことがないように、外枠１としての額縁状の四方枠なる形状が確保されるという利点があるうえ、外枠１の左右方向の外法を従来と同じ寸法に設定し、左木質片４と左骨格片７との結合された左右方向の厚さが従来の左木質片だけの場合よりも１／３程度に薄く構成することができ、このように左木質片４と左骨格片７との結合された左右方向の厚さを薄く構成することによって、外枠１の左右方向の内法が拡大され、外枠１としての使用終了後には、木質材と鉄材または鋼材とに分別して、材料の再利用が容易になるという利点がある。
【００３５】
図６を参照し、左上連結金具９について説明する。左上連結金具９では、前後一対のリブ片１０５が横片１０６と縦片１０７とにわたり設けられているので、横片１０６が木質片２に有頭ねじ７５で結合され、縦片１０７が左骨格片７に有頭ねじ７８で結合され、木質片２と左骨格片７とからなる直角の確保が向上する。
【００３６】
図７を参照し、右上連結金具１０について説明する。右上連結金具１０では、前後一対のリブ片１０８が横片１０９と縦片１１０とにわたり設けられているので、横片１０９が木質片２に有頭ねじ８１で結合され、縦片１１０が左骨格片７に有頭ねじ８３で結合され、木質片２と右骨格片８とからなる直角の確保が向上する。
【００３７】
図７において、左上連結金具９と右上連結金具１０として、互いに異なる形状ものを１個ずつ使用してもよいが、同じ形状のものを２個使用すればコスト的に有利である。左下連結金具１１と右下連結金具１２として、互いに異なる形状ものを１個ずつ使用してもよいが、同じ形状のものを２個使用すればコスト的に有利である。
【産業上の利用可能性】
【００３８】
図８乃至図１１は、発明を実施するための異なる形態を示す。図８は、外枠１を右斜め後方から示す。図９は、外枠１を左斜め後方から示す。図１０のａ図は、左木質片４と左骨格片７と止ねじ３８とを分解して示す。図１０のｂ図は、図１０のａ図をＡ−Ａに沿って切断した断面を示す。図１０のｃ図は、左木質片４と左骨格片７とが互いに組み合わせられた図１０のａ図をＡ−Ａに沿って切断した断面に相当する断面を示す。図１１のａ図は、右木質片５と右骨格片８とロック受金具１６と止ねじ４８とを分解して示す。図１１のｂ図は図１１のａ図をＢ−Ｂに沿って切断した断面を示す。
【００３９】
図８および図９を参照し、外枠１について説明する。図８において、外枠１では、左上連結金具９と外枠上ヒンジ１３とが上木質片２の左部と左木質片４の上部とを内外より挟み、有頭螺子７５；７８が外側から外枠上ヒンジ１３および上木質片２または左木質片４を貫通して左上連結金具９に締結され、右上連結金具１０が上木質片２の左部と右木質片５の上部からなる隅部の内側にあてがわれ、有頭螺子８１；３３が外側か上木質片２または右木質片５を貫通して右上連結金具１０に締結され、右上連結金具１０と右下連結金具１２とが右骨格片８から分離されたこと、左骨格片７が左木質片４に付設される構造が、最良の形態と異なる。図９において、左上連結金具９と左下連結金具１１と外枠下ヒンジ１４とが左骨格片７から分離されたこと、右骨格片８が右木質片５に付設される構造が、最良の形態と異なる。
【００４０】
図１０を参照し、左骨格片７が左木質片４に付設される構造について説明する。左木質片４には、リブ用凹部１１１、フランジ用凹部１１２、貫通孔３４；３６；１０２が設けられる。リブ用凹部１１１は、左木質片４の前後方向中央に位置し、左木質片４の右面から内部に窪む縦長な溝として構成される。フランジ用凹部１１２は、リブ用凹部１１１よりも前側および後側に分かれて位置し、左木質片４の右面から内部に窪む縦長な溝として構成される。左木質片４の前後方向の中心線Ｌ１と後側のフランジ用凹部１１２との間の寸法Ｌ２は、左木質片４の前後方向の中心線Ｌ１と前側フランジ用凹部１１２との間の寸法Ｌ３に等しい（Ｌ２＝Ｌ３）。
【００４１】
左骨格片７は、縦長な帯状本体１１３に、リブ１１４とフランジ１１５およびねじ孔５４を備える。リブ１１４は、上中下に分かれて設けられ、エンボス加工または打ち出し加工などのプレス加工によって帯状本体１１３の右面から左面の側に押し出された、縦長な形状である。フランジ１１５は、帯状本体１１３の前縁部および後縁部に分かれて設けられ、曲げ加工などのプレス加工によって帯状本体１１３の前縁部および後縁部の上下方向の全体にわたり帯状本体１１３の右面から左面の側に直角に突出された、縦長な形状である。
【００４２】
そして、左骨格片７は、左木質片４に次のように取り付けられる。フランジ１１５が左木質片４の右方からフランジ用凹部１１２に収容され、リブ１１４が左木質片４のリブ用凹部１１１に個別に収容される。そして、有頭ねじ５６が外側から左木質片４の貫通孔３６を経由してねじ孔５４に締結される。これによって、左木質片４と左骨格片７とが互いに結合され、左骨格片７における帯状本体１１３の右面が左木質片４の右面より外側に突出していない。
【００４３】
図１１を参照し、右骨格片８が右木質片５に付設される構造について説明する。右木質片５には、リブ用凹部１２１、フランジ用凹部１２２、貫通孔３７；３８；３９が設けられる。リブ用凹部１２１は、右木質片５の前後方向中央に位置し、右木質片５の左面から内部に窪む縦長な溝として構成される。フランジ用凹部１２２は、リブ用凹部１２１よりも前側および後側に分かれて位置し、右木質片５の左面から内部に窪む縦長な溝として構成される。右木質片５の前後方向の中心線Ｌ４と後側のフランジ用凹部１２２との間の寸法Ｌ５は、右木質片５の前後方向の中心線Ｌ４と前側フランジ用凹部１２２との間の寸法Ｌ６に等しい（Ｌ５＝Ｌ６）。
【００４４】
右骨格片８は、縦長な帯状本体１２３に、リブ１２４とフランジ１２５およびねじ孔６９を備える。リブ１２４は、上中下に分かれて設けられ、エンボス加工または打ち出し加工などのプレス加工によって帯状本体１２３の左面から右面の側に押し出された、縦長な形状である。フランジ１２５は、帯状本体１２３の前縁部および後縁部に分かれて設けられ、曲げ加工などのプレス加工によって帯状本体１２３の前縁部および後縁部の上下方向の全体にわたり帯状本体１２３の左面から右面の側に直角に突出された、縦長な形状である。受金具は、右骨格片８の内面にスポット溶接によって固定される。
【００４５】
右骨格片８は、右木質片５に次のように取り付けられる。フランジ１２５が右木質片５の左方からフランジ用凹部１２２に収容され、リブ１２４が右木質片５のリブ用凹部１２１に個別に収容される。そして、有頭ねじ７０が外側から右木質片５の貫通孔３９を経由してねじ孔６９に締結される。これによって、右木質片５と右骨格片８とが互いに結合され、右骨格片８における帯状本体１２３の左面が右木質片５の左面より外側に突出していない。
【００４６】
図１０に示す左木質片４と図１１に示す右木質片５とが同じ形状の木質片を２個使用され、図１０に示す左骨格片７と図１１に示す右骨格片８とが同じ形状の骨格片とを２個使用されてもよい。
【図面の簡単な説明】
【００４７】
【図１】外枠を斜め後方から示す分解斜視図（最良の形態）。
【図２】ａ図は左木質片と左骨格片と有頭ねじとを示す分解斜視図、ｂ図は左木質片と左骨格片とを有頭ねじで結合した組立斜視図（最良の形態）。
【図３】ａ図は右木質片と右骨格片と有頭ねじとを示す分解斜視図。ｂ図は右木質片と右骨格片とを有頭ねじで結合した組立斜視図（最良の形態）。
【図４】上木質片を除去した外枠の平面図（最良の形態）。
【図５】外枠を斜め後方から示す組立斜視図（最良の形態）。
【図６】外枠の左上連結金具周りを斜め後方から示す組立斜視図（最良の形態）。
【図７】左骨格片の後部および右骨格片の後部を除去した外枠の背面図（最良の形態）。
【図８】外枠を右斜め後方から示す斜視図（異なる形態）。
【図９】外枠を左斜め後方から示す斜視図（異なる形態）。
【図１０】ａ図は左木質片と左骨格片と有頭ねじとを示す分解斜視図、ｂ図はａ図のＡ−Ａ線断面図、ｃ図は左木質片と左骨格片とを互いに組み合わせたＡ−Ａ線断面図（異なる形態）。
【図１１】ａ図は右木質片と右骨格片とロック受金具と有頭ねじとを示す分解斜視図、ｂ図はａ図のＢ−Ｂ線断面図（異なる形態）。
【符号の説明】
【００４８】
１は外枠、２は上木質片、３は下木質片、４は左木質片、５は右木質片、６は空間、７は左骨格片、８は右骨格片、９は左上連結金具、１０は右上連結金具、１１は左下連結金具、１２は右下連結金具、１３は外枠上ヒンジ、１４は外枠下ヒンジ、１５は前片、１６はロック受金具、１７乃至２０は欠番、２１はヒンジ収容部、２２は貫通孔、２３は片収容部、２４は貫通孔、２５は片収容部、２６は逃げ部、２７は釘孔、２８は貫通孔、２９は片収容部、３０は貫通孔、３１は片収容部、３２は釘孔、３３はヒンジ収容部、３４は貫通孔、３５は貫通孔、３６は貫通孔、３７は貫通孔、３８は貫通孔、３９は貫通孔、４０乃至４２は木ねじ、４３は欠番、４４は帯状本体、４５は収容前壁、４６は前突壁、４７は合わせ壁、４８はリブ前壁、４９はリブ左壁、５０は収容後壁、５１は左収容部、５２は貫通孔、５３は貫通孔、５４はねじ孔、５５はヒンジ収容部、５６は有頭ねじ、５７は縦空間、５８は欠番、５９は帯状本体、６０は収容前壁、６１は前突壁、６２は合わせ壁、６３はリブ前壁、６４はリブ右壁、６５は収容後壁、６６は右収容部、６７は貫通孔、６８は貫通孔、６９はねじ孔、７０は有頭ねじ、７１は縦空間、７２乃至７４は欠番、、７５は有頭ねじ、７６は貫通孔、７７はねじ孔、７８は有頭ねじ、７９は貫通孔、８０はねじ孔、８１は有頭ねじ、８２はねじ孔、８３は有頭ねじ、８４はねじ孔、８５は有頭ねじ、８６はねじ孔、８７は有頭ねじ、８８はねじ孔、８９は有頭ねじ、９０はねじ孔、９１は有頭ねじ、９２はねじ孔、９３は凹部、９４は凹部、９５は有頭ねじ、９６は貫通孔、９７は有頭ねじ、９８は貫通孔、９９は有頭ねじ、１００は貫通孔、１０１は有頭ねじ、１０２は貫通孔、１０３は貫通孔、１０４はねじ孔、１０５はリブ片、１０６は横片、１０７は縦片、１０８乃至１１０は欠番、１１１はリブ用凹部、１１２はフランジ用凹部、１１３は帯状本体、１１４はリブ、１１５はフランジ、１１６乃至１２０は欠番、１２１はリブ用凹部、１２２はフランジ用凹部、１２３は帯状本体、１２４はリブ、１２５はフランジ。
【図４】
0004988658.tif 000002
【図１】
0004988658.tif 000003
【図２】
0004988658.tif 000004
【図３】
0004988658.tif 000005
【図５】
0004988658.tif 000006
【図６】
0004988658.tif 000007
【図７】
0004988658.tif 000008
【図８】
0004988658.tif 000009
【図９】
0004988658.tif 000010
【図１０】
0004988658.tif 000011
【図１１】
0004988658.tif 000012